(57)【要約】【課題】パソコンにグローバルＩＰアドレスを割り当てること及び無線通信を簡単に行うこと。【解決手段】移動体通信網２５を介してインターネットサーバ１４とデータ通信を行うことが可能な携帯電話１５を充電する充電手段１６を備えたクレードル１２は、パソコン１１との無線通信を可能にする第１の通信経路を確立する無線ＬＡＮアクセスポイント機能２４を実現するプログラムを備えた。また、携帯電話１５が載置されたクレードル１２は、該携帯電話１５を利用してインターネットサーバ１４とデータ通信を行うことを可能にする第２の通信経路を確立するモデム機能２７を実現するプログラムを備えた。そして、クレードル１２は、前記第１の通信経路と前記第２の通信経路との間で、データの中継を行うブリッジ処理機能２８を実現するプログラムを備えた。【選択図】        図１
2004304720.tif 000002
【特許請求の範囲】
【請求項１】
移動体通信網を介してインターネットサーバとデータ通信を行うことが可能なユーザの携帯端末が載置され、
前記ユーザが所有するパソコンと無線にてデータ通信を行う第１の無線接続手段と、
前記携帯端末を介して前記インターネットサーバとのデータ通信を行う第２の無線接続手段と、
前記第１の無線接続手段と前記第２の無線接続手段との間で、相互にデータの変換を行う中継手段と、
を備えたことを特徴とする通信装置。
【請求項２】
前記第２の無線接続手段が前記携帯端末との間で通信を行うための通信用接続端子とともに、前記携帯端末を充電する充電手段を備えたことを特徴とする請求項１に記載の通信装置。
【請求項３】
ユーザが所有する移動体通信網を介してインターネットサーバとデータ通信を行うことが可能な携帯端末が載置される装置が、
前記ユーザのパソコンと無線にてデータ通信を行う第１の通信経路を確立し、
前記携帯端末を介して前記インターネットサーバとデータ通信を行う第２の通信経路を確立し、
前記第１の通信経路と前記第２の通信経路との間で、データの中継を行うことを特徴とする通信方法。
【請求項４】
ユーザのパソコンとインターネットサーバとの間でデータ通信を行う通信システムにおいて、
前記パソコンと無線にてデータ通信を行う第１の通信経路を確立し、
移動体通信網を介して前記インターネットサーバとデータ通信を行うことが可能な携帯端末を利用して、インターネットを通じて前記インターネットサーバとデータ通信を行うアクセスサーバとデータ通信を行う第２の通信経路を確立し、
前記第１の通信経路と前記第２の通信経路との間で、データの中継を行う装置を備えたことを特徴とする通信システム。
【発明の詳細な説明】
【０００１】
【発明の属する技術分野】
本発明は、通信装置、通信方法及び通信システムに関するものである。
【０００２】
【従来の技術】
近年、多くのユーザは、それぞれ多数の情報機器（パソコン、ＰＤＡ（Ｐｅｒｓｏｎａｌ  Ｄｉｇｉｔａｌ  Ａｓｓｉｓｔａｎｃｅ）、プリンタ等）を所有するようになって来ている。このため、データの共有化等の為に情報機器間でデータの送受信を行う場合には、各情報機器をケーブル等で物理的に接続する有線ＬＡＮ（Ｌｏｃａｌ  Ａｒｅａ  Ｎｅｔｗｏｒｋ）よりもケーブルの管理や配線のレイアウト等の面で有利な無線ＬＡＮの方が利用されるようになってきている。この傾向は、各家庭内又は会社内における情報機器間だけにとどまらず、インターネット等の外部のネットワークの機器と接続する際にも無線にて接続するようになってきた。また、最近では、無線ＬＡＮ通信を行うためのＩＥＥＥ８０２．１１ｂ等の規格に準拠した仕様のパソコンも販売されている。
【０００３】
従来、各ユーザのパソコンを、無線にてインターネットと接続するには、パソコンに無線モジュールとしての無線ＬＡＮカードを接続し、該無線ＬＡＮカードを介してインターネット等と接続された無線ＬＡＮ用アクセスポイントとデータ通信を行う方法が一般的である（例えば、特許文献１）。
【０００４】
【特許文献１】
特開平１０−１６４１７１号公報
【０００５】
【発明が解決しようとする課題】
しかし、従来の方法では、情報機器を家庭で使用する場合には、家庭内に無線ＬＡＮ用アクセスポイントを設けなければならず、その設定が一般的なユーザにとって困難である。また、パソコンが無線通信できる距離（即ち、電波が届く範囲）は短距離であり、また、障害物の存在により無線通信が妨げられたりもする。このため、複数の部屋が存在する家又はオフィス等においては、インターネットと接続するためのケーブルを長くして無線ＬＡＮ用アクセスポイントを常にパソコンの無線通信可能な範囲に移動させるか、または家庭内を全て無線通信可能範囲とするように複数の無線ＬＡＮ用アクセスポイントを設置する必要がある。
【０００６】
ところが、ケーブルを長くしてパソコンと共に無線ＬＡＮ用アクセスポイントを移動させることで、パソコンと無線ＬＡＮ用アクセスポイントとの間を無線通信可能にするのでは、今度は、インターネットと無線ＬＡＮ用アクセスポイントとの間のケーブルの管理や配線のレイアウトの問題が発生する。
【０００７】
一方、複数の無線ＬＡＮ用アクセスポイントを設置して行う無線通信においては、パソコンが複数の無線ＬＡＮ用アクセスポイントの通信範囲を移動する場合があり、その際にはローミング等の問題が生じる。このため、無線通信においては、通常無線ＬＡＮ用アクセスポイントに備えられたＮＡＴ（Ｎｅｔｗｏｒｋ  Ａｄｄｒｅｓｓ  Ｔｒａｎｓｌａｔｉｏｎ）等の機能によりローカルＩＰアドレスをパソコンに割り当てることによりローミング等の問題を解決しなくてはならない。しかし、一部のアプリケーションソフトウェアは、グローバルＩＰアドレスを必要とするために、そのアプリケーションソフトウェアを使用することができなくなるといった問題がある。
【０００８】
本発明は上記問題点を解決するためになされたものであって、その目的は、パソコンにグローバルＩＰアドレスを割り当てること及び無線通信を簡単に行うことを可能にする通信装置、通信方法及び通信システムを提供することにある。
【０００９】
【課題を解決するための手段】
上記目的を達成するために、請求項１に記載の発明は、移動体通信網を介してインターネットサーバとデータ通信を行うことが可能なユーザの携帯端末が載置され、前記ユーザが所有するパソコンと無線にてデータ通信を行う第１の無線接続手段と、前記携帯端末を介して前記インターネットサーバとのデータ通信を行う第２の無線接続手段と、前記第１の無線接続手段と前記第２の無線接続手段との間で、相互にデータの変換を行う中継手段と、を備えた。
【００１０】
請求項２に記載の発明は、前記第２の無線接続手段が前記携帯端末との間で通信を行うための通信端子とともに、前記携帯端末を充電する充電手段を備えた。請求項３に記載の発明は、ユーザが所有する移動体通信網を介してインターネットサーバとデータ通信を行うことが可能な携帯端末が載置される装置が、前記ユーザのパソコンと無線にてデータ通信を行う第１の通信経路を確立し、前記携帯端末を介して前記インターネットサーバとデータ通信を行う第２の通信経路を確立し、前記第１の通信経路と前記第２の通信経路との間で、データの中継を行う。
【００１１】
請求項４に記載の発明は、ユーザのパソコンとインターネットサーバとの間でデータ通信を行う通信システムにおいて、前記パソコンと無線にてデータ通信を行う第１の通信経路を確立し、移動体通信網を介して前記インターネットサーバとデータ通信を行うことが可能な携帯端末を利用して、インターネットを通じて前記インターネットサーバとデータ通信を行うアクセスサーバとデータ通信を行う第２の通信経路を確立し、前記第１の通信経路と前記第２の通信経路との間で、データの中継を行う装置を備えた。
【００１２】
（作用）
請求項１，３又は４に記載の発明によれば、通信方式が異なる通信経路を接続して、パソコンにて携帯端末を介してインターネットサーバとの無線通信を行う。
【００１３】
請求項２に記載の発明によれば、携帯端末を介して通信を行いつつ、該携帯端末の充電を行う。
【００１４】
【発明の実施の形態】
以下、本発明を具体化した一実施形態を図面に従って説明する。
図１は本実施形態の通信システム１０の概略構成図を示す。
【００１５】
通信システム１０にはパソコン１１が含まれる。
パソコン１１は、通信装置としてのクレードル１２と無線通信を行うための無線モジュールとしての無線ＬＡＮカード１１ａが備えられている。この無線ＬＡＮカード１１ａは、無線通信規格、例えば、ＩＥＥＥ８０２．１１ｂ規格に準拠している。尚、無線ＬＡＮカード１１ａは、パソコン１１の標準機能又は追加機能（オプション）として備えられる。この無線ＬＡＮカード１１ａには、電波を送受信するためのアンテナが備えられている。また、パソコン１１には、インターネット１３に接続するために必要なプロトコル、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）、ＰＰＰ（Ｐｏｉｎｔ  ｔｏ  Ｐｏｉｎｔ  Ｐｒｏｔｏｃｏｌ）に従って通信を行うためのプログラムがインストールされている。さらに、パソコン１１には、無線ＬＡＮを通してＰＰＰ（Ｐｏｉｎｔ  ｔｏ  Ｐｏｉｎｔ  Ｐｒｏｔｏｃｏｌ）の機能を利用するためのプロトコル、ＰＰＰｏＥ（ＰＰＰ  ｏｖｅｒ  Ｅｔｈｅｒｎｅｔ（登録商標））にて通信を行うためのプログラムがインストールされている。また、パソコン１１は、インターネット１３を介してインターネットサーバ１４から提供されるＷｅｂページを閲覧するためのアプリケーションソフトとしてのＷｅｂブラウザがインストールされている。
【００１６】
次に、通信システム１０に含まれるクレードル１２について説明する。
クレードル１２には、ユーザの携帯端末としての携帯電話１５が載置される。クレードル１２には、該携帯電話１５を充電する充電手段１６が備えられている。図２に示すように、携帯電話１５が、クレードル１２に載置されると、携帯電話１５に備えられた充電用接続端子１７が前記充電手段１６に備えられた充電用接続端子１８と電気的に接続される。前記充電手段１６は、電源１９に接続される電源ケーブル２０ａが備えられており、また、電源１９からの交流電流を直流電流に変換し、前記充電用接続端子１８を介して携帯電話１５の充電用接続端子１７に供給する変換手段２０ｂが備えられている。従って、携帯電話１５がクレードル１２に載置されると、該携帯電話１５は、クレードル１２の前記充電手段１６により充電される。
【００１７】
また、クレードル１２には、携帯電話１５とデータの授受を行うための通信用接続端子２１が備えられている。携帯電話１５がクレードル１２に載置されると、該携帯電話１５に備えられた通信用接続端子２２が該クレードル１２の通信用接続端子２１と電気的に接続され、クレードル１２と携帯電話１５との間でデータの授受を行うことが可能となる。
【００１８】
さらに、クレードル１２には、パソコン１１に内蔵された無線ＬＡＮカード１１ａと無線接続するための無線モジュール２３が備えられ、該無線モジュール２３は、ＩＥＥＥ８０２．１１ｂ規格に準拠している。また、クレードル１２には、パソコン１１との間で、データの授受を無線にて行うための第１の無線接続手段としての無線ＬＡＮアクセスポイント機能２４を実現するプログラムが備えられている。この無線ＬＡＮアクセスポイント機能２４により、クレードル１２は、ＰＰＰｏＥの手順に従って、クレードル１２の無線モジュール２３とパソコン１１の無線ＬＡＮカード１１ａとの間で無線接続し、データ通信を行うための通信経路をパソコン１１との間で確立してデータの送受信を行う。
【００１９】
また、クレードル１２は、携帯電話１５を使用して移動体通信網２５を介してＩＳＰ（Ｉｎｔｅｒｎｅｔ  Ｓｅｒｖｉｃｅｓ  Ｐｒｏｖｉｄｅｒ）２６に備えられたアクセスサーバ２６ａにダイヤルアップする第２の無線接続手段としてモデム機能２７を実現するプログラムが備えられている。このモデム機能２７により、クレードル１２は、ＰＰＰの手順に従って、携帯電話１５及び移動体通信網２５を介してアクセスサーバ２６ａとデータの授受を行うことができる。
【００２０】
さらに、クレードル１２は、データをパソコン１１と携帯電話１５との間で中継する中継手段としてのブリッジ処理機能２８を実現するプログラムが備えられている。このブリッジ処理機能２８により、パソコン１１とクレードル１２との間で形成された通信経路とクレードル１２とアクセスサーバ２６ａとの間で形成された通信経路とを接続し、パソコン１１からアクセスサーバ２６ａまでの通信経路を確立する。つまり、このブリッジ処理機能２８により、クレードル１２は、中継先の通信経路と、中継元の通信経路で異なるプロトコルでデータ通信が行われているため、データの形式を中継先の通信経路に適したプロトコルに変換して、データの中継を行う。尚、図１において、一点鎖線はクレードル１２内のデータの流れを示している。
【００２１】
携帯電話１５は、移動体通信網２５と無線接続されており、クレードル１２の要求により該移動体通信網２５を介してアクセスサーバ２６ａにアクセスし、アクセスサーバ２６ａとデータの授受を行うことができる。尚、携帯電話１５は、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式で、アクセスサーバ２６ａとの通信経路を確立し、データ通信を行う。
【００２２】
ＩＳＰ２６に備えられたアクセスサーバ２６ａは、ＲＡＤＩＵＳ（Ｒｅｍｏｔｅ  Ａｕｔｈｅｎｔｉｃａｔｉｏｎ  Ｄｉａｌ−ｉｎ  Ｕｓｅｒ  Ｓｅｒｖｉｃｅ）サーバ２９と接続されている。ＲＡＤＩＵＳサーバ２９には、ＲＡＤＩＵＳサーバプログラムがインストールされており、該ＲＡＤＩＵＳサーバ２９により、ＰＰＰの手順に従って、アクセスサーバ２６ａにダイヤルアップ接続してきたユーザの認証が行われる。さらに、ＲＡＤＩＵＳサーバ２９には、認証を行ったユーザのパソコン１１にグローバルＩＰアドレスを割り当て、該グローバルＩＰアドレスをアクセスサーバ２６ａ、携帯電話１５、クレードル１２を介してパソコン１１に送信する機能を実現するプログラムが備えられている。また、アクセスサーバ２６ａは、インターネット１３を介してインターネットサーバ１４と接続されており、該インターネットサーバ１４とデータの送受信を行うことができる。
【００２３】
該インターネットサーバ１４には、インターネット１３等を介して各種コンテンツをＴＣＰ／ＩＰの手順に従ってパソコン１１に提供する機能を実現するプログラムが備えられている。
【００２４】
次に、パソコン１１がアクセスサーバ２６ａにアクセスする際におけるユーザ認証時の動作を説明する。図３は、接続時におけるプロトコルの構成を示す図である。
【００２５】
まず、クレードル１２に携帯電話１５を載置して、互いの充電用接続端子１７，１８を接続して携帯電話１５を充電する。それとともに、クレードル１２の通信用接続端子２１を携帯電話１５の通信用接続端子２２に接続して、クレードル１２と携帯電話１５との間のデータの授受を可能にする。
【００２６】
次に、ユーザがパソコン１１の電源を入れ、Ｗｅｂブラウザを起動して、インターネットサーバ１４にアクセスを開始する。
まず、パソコン１１は、ＰＰＰｏＥの手順に従って、クレードル１２との通信経路を確立するまでの流れを説明する。図４及び図５は、パソコン１１がインターネットサーバ１４との通信経路を確立するまでの制御シーケンスを示す説明図である。
【００２７】
パソコン１１は、ＰＰＰｏＥの手順に従って、無線ＬＡＮカード１１ａから接続開始パケットを送信する（ＰＰＰｏＥ  Ｄｉｓｃｏｖｅｒｙ  Ｉｎｉｔｉａｔｉｏｎ；ステップ１０１）。クレードル１２は、該接続開始パケットを受信すると、無線ＬＡＮアクセスポイント機能２４に基づいて、パソコン１１に対して応答パケットを送信し、パソコン１１とクレードル１２との通信経路２０１を確立する（ＰＰＰｏＥ  Ｄｉｓｃｏｖｅｒｙ  Ｏｆｆｅｒ；ステップ１０２）。
【００２８】
次に、パソコン１１は、応答パケットを受信すると、クレードル１２に対して接続要求パケットを送信する（ＰＰＰｏＥ  Ｄｉｓｃｏｖｅｒｙ  Ｒｅｑｕｅｓｔ；ステップ１０３）。クレードル１２は、該接続要求パケットを受信すると、接続設定開始パケットをパソコン１１に送信する（ＰＰＰｏＥ  Ｄｉｓｃｏｖｅｒｙ  Ｓｅｓｓｉｏｎ−ｃｏｎｆｉｇｕｒａｔｉｏｎ；ステップ１０４）。そして、クレードル１２は、モデム機能２７に基づいて、携帯電話１５を使用して、移動体通信網２５を介してアクセスサーバ２６ａにダイヤルアップ接続を行う（Ｄｉａｌ；ステップ１０５）。
【００２９】
一方、パソコン１１は、接続設定開始パケットを受信すると、アクセスサーバ２６ａに対して定期的にＬＣＰ（Ｌｉｎｋ  Ｃｏｎｔｒｏｌ  Ｐｒｏｔｏｃｏｌ）エコー要求パケットを送信する（ＰＰＰｏＥ  Ｓｅｓｓｉｏｎ  ＰＰＰ  ＬＣＰ  ｃｏｎｆｉｇｕｒａｔｉｏｎ  Ｒｅｑｕｅｓｔ；ステップ１０６，ステップ１０７）。尚、アクセスサーバ２６ａに対して定期的にＬＣＰエコー要求パケットを送信しつづけて、一定時間経過しても、アクセスサーバ２６ａから応答がない場合、パソコン１１は、クレードル１２との通信経路２０１を強制的に切断する。
【００３０】
アクセスサーバ２６ａは、クレードル１２から携帯電話１５を介してダイヤルアップされたことを確認すると、該クレードル１２に対して、正常にクレードル１２とアクセスサーバ２６ａとの通信経路２０２が確立したことを示す接続確立パケットを送信する（ＣＯＮＮＥＣＴ；ステップ１０８）。
【００３１】
クレードル１２は、アクセスサーバ２６ａから接続確立パケットを受信した後、パソコン１１からＬＣＰエコー要求パケットを受信すると、ブリッジ処理機能２８により、ＰＰＰの手順に従って、アクセスサーバ２６ａに対してＬＣＰエコー要求パケットを送信する（ＰＰＰ  ＬＣＰ  ｃｏｎｆｉｇｕｒａｔｉｏｎ  Ｒｅｑｕｅｓｔ；ステップ１０９）。アクセスサーバ２６ａは、ＰＰＰの手順に従って、該ＬＣＰエコー要求パケットを受信すると、肯定応答パケットをクレードル１２に対して送信する（ＰＰＰ  ＬＣＰ  ｃｏｎｆｉｇｕｒａｔｉｏｎ  ＡＣＫ；ステップ１１０）。
【００３２】
クレードル１２は、肯定応答パケットを受信すると、ブリッジ処理機能２８により、ＰＰＰｏＥの手順に従って、ＰＰＰによる肯定応答パケットをパソコン１１に対して送信する（ＰＰＰｏＥ  Ｓｅｓｓｉｏｎ  ＰＰＰ  ＬＣＰ  ｃｏｎｆｉｇｕｒａｔｉｏｎ  ＡＣＫ；ステップ１１１）。
【００３３】
パソコン１１は、該肯定応答パケットを受信すると、パソコン１１からアクセスサーバ２６ａまでの通信経路２０３が確立されたことを確認する。そして、パソコン１１は、ＰＰＰの手順で作成されたユーザ名及びパスワード等が含まれる認証パケットを、ＰＰＰｏＥの手順に従って、クレードル１２に送信する（ＰＰＰｏＥ  Ｓｅｓｓｉｏｎ  ＰＰＰ  Ａｕｔｈｅｎｔｉｃａｔｉｏｎ  Ｒｅｑｕｅｓｔ；ステップ１１２）。クレードル１２は、ブリッジ処理機能２８により該認証パケットを携帯電話１５に中継し、該携帯電話１５から移動体通信網２５を介してアクセスサーバ２６ａに送信する（ＰＰＰ  Ａｕｔｈｅｎｔｉｃａｔｉｏｎ  Ｒｅｑｕｅｓｔ；ステップ１１３）。
【００３４】
アクセスサーバ２６ａは、ＰＰＰの手順に従って、ＲＡＤＩＵＳサーバ２９との通信経路２０４を確立し、該認証パケットに含まれるユーザ名及びパスワードが登録されているかＲＡＤＩＵＳサーバ２９に確認させる。
【００３５】
アクセスサーバ２６ａは、ＲＡＤＩＵＳサーバ２９から登録されているユーザである旨を受信すると、クレードル１２に対して認証確認パケットを送信する（ＰＰＰ  Ａｕｔｈｅｎｔｉｃａｔｉｏｎ  ＡＣＫ；ステップ１１４）。クレードル１２は、該認証確認パケットを受信すると、ＰＰＰｏＥの手順に従って、パソコン１１に対して、認証確認パケットを送信する（ＰＰＰｏＥ  Ｓｅｓｓｉｏｎ  ＰＰＰ  Ａｕｔｈｅｎｔｉｃａｔｉｏｎ  ＡＣＫ；ステップ１１５）。
【００３６】
パソコン１１は、認証確認パケットを受信すると、アクセスサーバ２６ａがインターネットサーバ１４にアクセス可能なユーザであると認証したことを確認する。そして、パソコン１１は、インターネットサーバ１４にアクセスする際、どのようなグローバルＩＰアドレスを使用すべきかを打診する為のアドレス設定要求パケットをクレードル１２を介してアクセスサーバ２６ａに送信する（ＰＰＰｏＥ  Ｓｅｓｓｉｏｎ  ＰＰＰ  ＩＰＣＰ  Ｃｏｎｆｉｇｕｒａｔｉｏｎ  Ｒｅｑｕｅｓｔ；ステップ１１６，ＰＰＰ  ＩＰＣＰ  Ｃｏｎｆｉｇｕｒａｔｉｏｎ  Ｒｅｑｕｅｓｔ；ステップ１１７）。
【００３７】
アクセスサーバ２６ａは、該アドレス要求パケットを受信すると、ＲＡＤＩＵＳサーバ２９から割り当てられたグローバルＩＰアドレスを付与してアドレス設定パケットをクレードル１２に対して送信する（ＰＰＰ  ＩＰＣＰ  Ｃｏｎｆｉｇｕｒａｔｉｏｎ  ＡＣＫ；ステップ１１８）。クレードルは、該アドレス設定パケットを受信すると、ブリッジ処理機能２８に従って、該アドレス設定パケットをパソコン１１に対して送信する（ＰＰＰｏＥ  Ｓｅｓｓｉｏｎ  ＰＰＰ  ＩＰＣＰ  Ｃｏｎｆｉｇｕｒａｔｉｏｎ  ＡＣＫ；ステップ１１９）。
【００３８】
パソコンが、該アドレス設定パケットを受信し、該アドレス設定パケットに付与されたグローバルＩＰアドレスを利用することにより、インターネットサーバ１４との通信経路を確立することができる。
【００３９】
図６に、パソコン１１とインターネットサーバ１４との間におけるデータ送受信時のプロトコル構成を示す。また、図７に、通信時における制御シーケンスを示す。
【００４０】
パソコン１１は、ＴＣＰ／ＩＰの手順に基づいて、受信したグローバルＩＰアドレスを使用してインターネットサーバ１４との通信経路３０１を確立する。
そして、パソコン１１は、ＴＣＰ／ＩＰの手順に従って、クレードル１２、携帯電話１５、アクセスサーバ２６ａ等を介してインターネットサーバ１４との間でデータの送受信を行う（ＰＰＰｏＥ  Ｓｅｓｓｉｏｎ  ＰＰＰ  ＩＰ；ステップ１２０，ＰＰＰ  ＩＰ；ステップ１２１，ＰＰＰ  ＩＰ；ステップ１２２，ＰＰＰｏＥ  Ｓｅｓｓｉｏｎ  ＰＰＰ  ＩＰ；ステップ１２３）。これにより、パソコン１１は、インターネットサーバ１４からコンテンツとしてのＷｅｂデータを受信し、ＷｅｂブラウザによりＷｅｂデータを閲覧する。尚、クレードル１２は、携帯電話１５等を介してインターネットサーバ１４からＷｅｂデータを受信したとき（ステップ１２２）、ブリッジ処理機能２８に基づいて、該Ｗｅｂデータに付されたＩＰアドレスが、パソコン１１に割り当てられたグローバルＩＰアドレスか否か判断する。そして、クレードル１２は、ＩＰアドレスが該パソコン１１に割り当てられたグローバルＩＰアドレスであると判断したとき、パソコン１１に対して該Ｗｅｂデータを中継する。ＩＰアドレスが該パソコン１１に割り当てられたグローバルＩＰアドレスでないと判断したときは、該データを破棄する。
【００４１】
ユーザが、パソコン１１にてインターネットサーバ１４との接続を終了するときは、図８に示すように、パソコン１１が、ユーザの操作に応じて、終了パケットをクレードル１２に送信する（ＰＰＰｏＥ  Ｄｉｓｃｏｖｅｒｙ  Ｔｅｒｍｉｎａｔｅ；ステップ１２４）。
【００４２】
クレードル１２は、パソコン１１から該終了パケットを受信したとき、アクセスサーバ２６ａに対して切断パケットを送信して（ＤＩＳＣＯＮＮＥＤＴ；ステップ１２５）、クレードル１２とアクセスサーバ２６ａとの通信経路２０２を切断する。クレードル１２は、切断パケットを送信すると同時に、パソコン１１に対して、終了を確認するために終了パケットを送信して（ＰＰＰｏＥ  Ｄｉｓｃｏｖｅｒｙ  Ｔｅｒｍｉｎａｔｅ；ステップ１２６）、クレードル１２とパソコン１１との間の通信経路２０１を切断する。
【００４３】
以上詳述したように本実施形態は、以下の特徴を有する。
（１）クレードル１２に携帯電話１５を載置するだけで、クレードル１２が無線ＬＡＮ用アクセスポイントとして機能することにより、パソコン１１とクレードル１２との間で無線ＬＡＮを形成してデータ通信を行うので、パソコン１１とクレードル１２との間における配線の問題が解決できる。さらに、クレードル１２は、携帯電話１５を利用して移動体通信網２５を介してアクセスサーバ２６ａと通信を行うので、無線ＬＡＮ用アクセスポイントとアクセスサーバ２６ａとの間を有線で接続しなくてよくなり、ケーブルの配線等の問題を解決することができる。
【００４４】
（２）クレードル１２は、無線ＬＡＮアクセスポイント機能２４だけでなく、充電手段１６をも有しているので、パソコン１１が通信を行っている際に携帯電話１５の電力が無くなることがない。
【００４５】
（３）通常、家庭又は会社内においては、インターネット１３と接続するためのモジュラジャックの設置数よりも、電源１９が供給されるコンセントの設置数の方が多く、またクレードル１２は、電源ケーブル２０ａを電源１９からはずせば簡単に移動させることが可能である。このため、電源ケーブル２０ａを短くすることができ、ケーブルの配線のレイアウトや管理等の問題を解決することができる。
【００４６】
（４）また、モジュラジャックに接続する場合には、その都度無線ＬＡＮ用アクセスポイントとして機能する機器のアドレス等の設定をやり直さなくてはならなかったが、電源ケーブル２０ａを電源１９に接続して携帯電話１５を載置すれば、無線ＬＡＮ用アクセスポイントとして機能するので、設定が簡単である。
【００４７】
（５）パソコン１１とクレードル１２は、常に一対一で無線通信を行うので、パソコン１１が異なる無線ＬＡＮ用アクセスポイントとして機能する機器の通信範囲を移動することにより発生するローミング等の問題を考慮する必要が無くなる。従って、ローミング等を解決する為に必要なＮＡＴ等の機能を実現するためのプログラムをインストールする必要が無くなり、無線通信を行うための設定が簡単になる。
【００４８】
（６）電源ケーブル２０ａを電源１９に接続し、クレードル１２に携帯電話１５を設置したときに、クレードル１２は、無線ＬＡＮ用アクセスポイントとして機能する。無線通信時におけるクレードル１２は、電源ケーブル２０ａの長さの範囲内でしか移動させることができないため、アクセスサーバ２６ａとパソコン１１との間の通信経路が変更されることがなくなり、無線ＬＡＮ用アクセスポイントの移動によるローミングの問題を考慮しなくて良くなる。このため、パソコン１１にグローバルＩＰアドレスを割り当てることができ、パソコン１１のユーザは、グローバルＩＰアドレスを利用しなくては使用することができないアプリケーションを使用することができる。
【００４９】
なお、上記以外に次の形態にて具体化できる。
○上記実施形態では、クレードル１２の通信用接続端子２１を直接携帯電話１５の通信用接続端子２２に接続させたが通信ケーブルを介して接続しても良い。
【００５０】
○上記実施形態では、クレードル１２の通信用接続端子２１を携帯電話１５の通信用接続端子２２に電気的に直接接続させてデータの授受を行っていたが、クレードル１２と携帯電話１５との間を無線にて接続してデータの授受を行っても良い。
【００５１】
○上記実施形態では、携帯端末として携帯電話１５を利用したが、移動体通信網２５を介してアクセスサーバ２６ａとデータの授受を行うことならば、ＰＤＡ、ＰＨＳ等の他の携帯端末でもよい。
【００５２】
○上記実施形態では、クレードル１２には、電源ケーブル２０ａが備えられたが、電源ケーブル２０ａを無くして、直接クレードル１２と電源１９と接続して電流を供給されるようにしても良い。このようにすればクレードル１２と電源１９との間の電源ケーブル２０ａの管理や配線のレイアウトを考慮しなくて良くなる。
【００５３】
○上記実施形態では、無線ＬＡＮアクセスポイント機能２４、モデム機能２７及びブリッジ処理機能２８は、プログラムにて実現したが、ハードウェア的な回路にて各機能２４，２７，２８を実現してクレードル１２に組み込んでも良い。
【００５４】
○上記実施形態では、携帯電話１５は、ＷＣＤＭＡ方式で、アクセスサーバ２６ａとの通信経路を確立し、データ通信を行っていたが、この方式以外の方法、例えば、ＰＤＣ（Ｐｅｒｓｏｎａｌ  Ｄｉｇｉｔａｌ  Ｃｅｌｌｕｌａｒ）方式、パケット通信方式、ＰＨＳ（Ｐｅｒｓｏｎａｌ  Ｈａｎｄｙｐｈｏｎｅ  Ｓｙｓｔｅｍ）方式等でデータ通信を行っても良い。
【００５５】
上記の実施形態及び別例から把握できる技術的思想を以下に記載する。
（イ）  前記装置は、前記携帯端末が載置されることにより、該携帯端末を充電することを特徴とする請求項３に記載の通信方法。
【００５６】
（ロ）  前記装置が、前記携帯端末を充電することを特徴とする請求項４に記載の通信システム。
【００５７】
【発明の効果】
以上詳述したように、本発明によれば、パソコンにグローバルＩＰアドレスを割り当てること及び無線通信を簡単に行うことを可能にする。
【図面の簡単な説明】
【図１】通信システムの概略構成図。
【図２】携帯電話とクレードルの斜視図。
【図３】接続時におけるプロトコル構成を説明する説明図。
【図４】接続時における制御シーケンスを示す説明図。
【図５】接続時における制御シーケンスを示す説明図。
【図６】通信時におけるプロトコル構成を説明する説明図。
【図７】通信時における制御シーケンスを示す説明図。
【図８】切断時における制御シーケンスを示す説明図。
【符号の説明】
１０…通信システム、１１…パソコン、１２…クレードル、１３…インターネット、１４…インターネットサーバ、１５…携帯電話、１６…充電手段、２１…クレードルの通信用接続端子、２２…携帯電話の通信用接続端子、２４…無線ＬＡＮアクセスポイント機能、２５…移動体通信網、２６ａ…アクセスサーバ、２７…モデム機能、２８…ブリッジ処理機能。
【図１】
2004304720.tif 000003
【図２】
2004304720.tif 000004
【図３】
2004304720.tif 000005
【図４】
2004304720.tif 000006
【図５】
2004304720.tif 000007
【図６】
2004304720.tif 000008
【図７】
2004304720.tif 000009
【図８】
2004304720.tif 000010